(57)【要約】【課題】  運搬時や取り付け時等における風向調整板の傷、破損、変形、脱落等を防止することが可能な空調室内機を提供する。【解決手段】  室内機２は、主として、熱交換器ユニット５、上部ケーシング６、下部ケーシング７、前面パネル８およびクロスフローファン２１を含む送風ユニットによって構成されている。下部ケーシング７は、室内機２の下部を覆うとともに、室内機２の外郭を構成している。下部ケーシング７は、外面部７１、スクロール７２および水平フラップ７３等によって構成されている。水平フラップ７３は、略直方体形状の室内機２の下面側に配置されており、室内機２の長手方向に平行な軸を中心に回動自在に設けられている。室内機２では、水平フラップ７３が室内機２の製品外郭面７５よりも距離ｘだけ奥まって配置されており、ここでは距離ｘは１ｍｍとなっている。【選択図】      図３
2005106394.tif 000002
【特許請求の範囲】
【請求項１】
空気調和された空気を室内へ供給する空調室内機（２）であって、
外郭面（７５）を構成するフレーム部（６，７）と、
前記空気の吹き出し口（２５）を覆うように配置され、室内へ供給される空気の吹き出し角度を調整する風向調整板（７３）と、
を備え、
前記風向調整板（７３）は、前記外郭面（７５）よりも奥まった位置に配置されている、
空調室内機（２）。
【請求項２】
略直方体の形状である、
請求項１に記載の空調室内機（２）。
【請求項３】
前記風向調整板（７３）は、壁面に取り付けられた状態における前記略直方体形状の下面側に配置されている、
請求項２に記載の空調室内機（２）。
【請求項４】
前記風向調整板（７３）は、非運転状態において前記略直方体形状の下面に平行に配置されている、
請求項３に記載の空調室内機（２）。
【請求項５】
前記風向調整板（７３）は、前記外郭面（７５）から３ｍｍ以下の範囲で奥まって配置されている、
請求項１から４のいずれか１項に記載の空調室内機（２）。
【発明の詳細な説明】
【技術分野】
【０００１】
本発明は、室内へ供給される空気調和された空気の上下方向の吹き出し向きを調整する風向調整板を備えた空調室内機に関する。
【背景技術】
【０００２】
室内に空気調和された空気を供給する空気調和装置の室内機には、図５に示すように、空気調和された空気が吹き出される上下方向の向きを変えるための風向調整板（以下、水平フラップと記す）１０１が、外郭面の一部を構成する部品として吹き出し口１０２の部分に取り付けられている。
この水平フラップ１０１は、運転の種類に対応してモータによって回転制御され、冷房運転時においては水平方向を向き、室内機から天井付近に冷房処理された空気を室内へ供給する。一方、暖房運転時には、水平フラップ１０１は斜め下方向を向き、室内の床面付近に暖房処理された空気を供給する（特許文献１参照）。
【特許文献１】特開昭６３−５４５４９号公報（昭和６３年３月８日公開）
【発明の開示】
【発明が解決しようとする課題】
【０００３】
しかしながら、上記従来の空調室内機１００では、以下に示すような問題点を有している。
すなわち、通常、空調室内機１００が備えている水平フラップ１０１は、図５に示すように、空調室内機１００の製品外郭面１０３に沿って配置されて意匠面の一部を構成している。このため、運搬時や空調機の取り付け時において、何らかの物体が衝突しやすく、水平フラップ１０１の傷、破損、変形等の原因となるおそれがある。
【０００４】
特に、空調室内機の形状が略直方体形状であるような場合には、どの面を下にしても安定して載置できるため、水平フラップが配置されている面側を下にして床や机等に載置されることも考えられる。このため、略直方体形状の空調室内機が水平フラップの取り付け面を下にして床等に載置された場合には、特に破損等の問題が生じやすい。
本発明の課題は、運搬時や取り付け時等における風向調整板の傷、破損、変形等を防止することが可能な空調室内機を提供することにある。
【課題を解決するための手段】
【０００５】
請求項１に記載の空調室内機は、空気調和された空気を室内へ供給する空調室内機であって、外郭面を構成するフレーム部と、空気の吹き出し口を覆うように配置され、室内へ供給される空気の吹き出し角度を調整する風向調整板とを備えている。そして、風向調整板は、空調室内機の外郭面よりも奥まった位置に配置されている、
風向調整板は、空気調和された空気の上下方向における吹き出し角度を調整する、いわゆる水平フラップであって、空調室内機の表面に露出している。この風向調整板は、通常、意匠性の低下を防ぐために空調室内機の外郭面と同じ平面状に取り付けられている。また、風向調整板はモータによって回転駆動されるため、一般的にその両端と中央の３点において空調室内機の本体と接続されている。このため、外界から衝撃が加わると風向調整板の傷、破損、変形等が発生するおそれがある。
【０００６】
そこで、本発明では、空調室内機の表面に露出する風向調整板が、空調室内機の外郭面よりも少し奥まった位置に配置されている。このため、空調室内機の運搬時や取り付け時において、不意に硬い物体等により空調室内機に衝撃が加えられた場合でも、空調室内機の外郭面を構成する他の部分に先にあたって奥まった位置に配置された風向調整板には衝撃が加わる確率を低減できる。
【０００７】
これにより、従来の製品外郭面と同じ面上に配置された風向調整板と比較して、風向調整板の傷、破損、変形等の発生を抑制することができる。さらに、風向調整板の破損等の発生確率が低くなるため、従来の風向調整板よりも材料物性値の低い材料を用いて風向調整板を構成できる。このため、材料単価を低減してコストダウンが図れる。
なお、上記外郭面とは、ケーシング等のフレーム部材で構成される空調室内機の外観面を構成する表面をいう。本発明では、空調室内機における風向調整板以外の表面に露出した部分を外郭面と定義している。
【０００８】
請求項２に記載の空調室内機は、請求項１に記載の空調室内機であって、略直方体の形状である。
ここでは、略直方体形状の空調室内機に本発明を適用することで、特に効果的に風向調整板の破損等を低減することができる。
すなわち、空調室内機が直方体形状である場合には、どの面を下にしても安定して載置することができる。このため、風向調整板が取り付けられた面を下にして床や机等に載置されることも考えられる。しかし、本発明では、風向調整板が空調室内機の外郭面よりも奥まった位置に配置されているため、たとえ風向調整板の取り付け面を下にして床面等に載置された場合でも、風向調整板の傷、破損、変形等を効果的に防止できる。
【０００９】
請求項３に記載の空調室内機は、請求項２に記載の空調室内機であって、風向調整板は、壁面に取り付けられた状態における略直方体形状の下面側に配置されている。
ここでは、風向調整板が略直方体形状の空調室内機の下面側に配置されている。空調室内機が略直方体形状の場合には、空調室内機の背面側だけでなく下面側を下にして床等に載置されることが想定される。しかし、本発明では風向調整板が空調室内機の外郭面よりも奥まって配置されているため、風向調整板の傷、破損、変形を効果的に防止できる。
【００１０】
請求項４に記載の空調室内機は、請求項３に記載の空調室内機であって、風向調整板は、非運転状態において略直方体形状の下面に平行に配置されている、
ここでは、風向調整板が非運転状態において下面に平行に、換言すれば、空調室内機が壁面等に取り付けられた状態において水平に配置されている。これにより、略直方体形状の空調室内機の下面側に配置されている場合において、風向調整板の一部分が外角面から突出する等により意匠性が低下することを防止できる。
【００１１】
請求項５に記載の空調室内機は、請求項１から４のいずれか１項に記載の空調室内機であって、風向調整板は、外郭面から３ｍｍ以下の範囲で奥まって配置されている。
ここでは、風向調整板を３ｍｍ以下の範囲で製品外郭面よりも奥まらせて配置している。これにより、風向調整板の部分が製品外郭面からみて大きな凹みとなって意匠性が低下してしまうことを防止できる。
【発明の効果】
【００１２】
請求項１に記載の空調室内機によれば、風向調整板の傷、破損、変形等の発生を抑制するとともに、材料単価を低減してコストダウンが図れる。
請求項２に記載の空調室内機によれば、空調室内機が略直方体形状であっても、風向調整板の傷、破損、変形等の発生を効果的に防止できる。
請求項３に記載の空調室内機によれば、略直方体形状の空調室内機の下面側に配置されていても、風向調整板の傷、破損、変形等の発生を効果的に防止できる。
【００１３】
請求項４に記載の空調室内機によれば、略直方体形状の空調室内機の下面側に配置された状態で意匠性の低下を防止できる。
請求項５に記載の空調室内機によれば、風向調整板の部分が空調室内機の外郭面からみて大きな凹みとなって意匠性が低下してしまうことを防止できる。
【発明を実施するための最良の形態】
【００１４】
＜空気調和装置の全体構成＞
本発明の一実施形態に係る室内機（空調室内機）２を備えた空気調和装置１の外観を図１に示す。
この空気調和装置１は、調和された空気を室内に供給するための装置である。空気調和装置１は、室内の壁面などに取り付けられる略直方体形状の室内機２と、室外に設置される室外機３とを備えている。
【００１５】
室内機２内には、後段にて説明する室内熱交換器２０が収納され、室外機３内には同じく後段にて説明する室外熱交換器３０が収納されている。また、各熱交換器２０，３０が図１に示す冷媒配管４によって接続されることにより、図２に示す冷媒回路が構成されている。
＜空気調和装置の冷媒回路の概略構成＞
空気調和装置１の冷媒回路の構成を図２に示す。この冷媒回路は、主として室内熱交換器２０、室外熱交換器３０、アキュムレータ３１、圧縮機３２、四路切換弁３３および電動膨張弁３４で構成される。
【００１６】
室内機２に設けられている室内熱交換器２０は、接触する空気との間で熱交換を行う。また、室内機２には、室内空気を吸い込んで室内熱交換器２０に通し熱交換が行われた後の空気を室内に排出するためのクロスフローファン２１が設けられている。このクロスフローファン２１は、長細い円筒形状に構成され、中心軸が水平方向に平行になるように配置されている。クロスフローファン２１は、室内機２内に設けられる室内ファンモータ２２によって中心軸を中心にして回転駆動される。室内機２の詳細な構成については後段にて説明する。
【００１７】
室外機３には、圧縮機３２と、圧縮機３２の吐出側に接続される四路切換弁３３と、圧縮機３２の吸入側に接続されるアキュムレータ３１と、四路切換弁３３に接続された室外熱交換器３０と、室外熱交換器３０に接続された電動膨張弁３４とが設けられている。
電動膨張弁３４は、フィルタ３５および液閉鎖弁３６を介して配管４１に接続されており、この配管４１を介して室内熱交換器２０の一端と接続される。四路切換弁３３は、ガス閉鎖弁３７を介して配管４２に接続されており、この配管４２を介して室内熱交換器２０の他端と接続されている。なお、配管４１、４２は、図１の冷媒配管４に相当する。
【００１８】
また、室外機３には、室外熱交換器３０での熱交換後の空気を外部に排出するためのプロペラファン３８が設けられている。このプロペラファン３８は、室外ファンモータ３９によって回転駆動される。
＜室内機の構成＞
室内機２は、図１に示すように、正面視において横方向に長い形状であって、略直方体形状の外観を有しており、従来よりも薄型化されている。また、室内機２は、図３に示すように、主として、熱交換器ユニット５、上部ケーシング６、下部ケーシング７、前面パネル８およびクロスフローファン２１を含む送風ユニットによって構成されている。
【００１９】
以下、図３を参照して、室内機２の各構成について説明する。
室内熱交換器ユニット５は、室内熱交換器２０、補助配管（図示せず）等によって構成されている。室内熱交換器２０は、クロスフローファン２１の円周面に対向して配置されており、クロスフローファン２１の前方および上方を取り囲むように取り付けられている。室内熱交換器２０は、クロスフローファン２１が回転することにより、図4に示す吸い込み口２３ａ，２３ｂから吸い込まれた空気をクロスフローファン２１側に通過させ、伝熱管の内部を通過する冷媒との間で熱交換を行わせる。また、室内熱交換器２０の直下には、ドレンパン２４ａ，２４ｂが設けられている。ドレンパン２４ａ，２４ｂは、室内熱交換器２０を流れる冷媒と空気調和される空気との間で行われる熱交換によって室内熱交換器２０の表面に発生する水滴を集めてドレン水として屋外へ排出する。
【００２０】
補助配管は、室内熱交換器２０と室内機２の外部にある冷媒配管４とを繋ぐ。この補助配管には、室内熱交換器２０と室外熱交換器３０との間を循環する冷媒が流れている。
上部ケーシング６は、室内機２の上部を覆うとともに、室内機２の外郭を構成している。また、上部ケーシング６は、上述したドレンパン２４ａと一体成形されている。
下部ケーシング７は、室内機２の下部を覆うとともに、室内機２の外郭を構成している。また、下部ケーシング７は上述したドレンパン２４ｂと一体成形されている。そして、下部ケーシング７には、上方からクロスフローファン２１等を含む送風ユニット、図示しない電装品箱、室内熱交換器２０を含む室内熱交換器ユニット等が取り付けられて、これらを下方から支持する。
【００２１】
前面パネル８は、上部パネル８ａ、下部パネル８ｂおよびカバー８ｃとで構成されている。上部パネル８ａは、空調室内機２が運転状態になると、図４に示すように前方に移動する。一方、下部パネル８ｂは上方向に移動してカバー８ｃの中に収納される。これにより、吸い込み口２３ａ，２３ｂと吹き出し口２５とを形成することができる。
ここで、上記下部ケーシング７の構成について、さらに詳しく説明すれば以下の通りである。
【００２２】
下部ケーシング７は、外面部７１、スクロール７２および水平フラップ（風向調整板）７３等によって構成されている。
外面部７１は、正面視において室内機２の外面として視野に現れる部分であり、上端が室内機２の前側に傾斜するように配置されている。また、外面部７１には、室内機２の長手方向に沿う開口からなる吹き出し口２５が設けられている。この吹き出し口２５は、図４に示すように、クロスフローファン２１が収納されている内部の空間に連通しており、クロスフローファン２１によって生成された空気流は前面パネル８（下部パネル８ｂ）の移動と後述する水平フラップ７３の回動によって形成された吹き出し口２５を通って室内へと吹き出す。また、吹き出し口２５には、室内へと吹き出される空気の吹き出し方向を決定する水平フラップ７３が設けられている。
【００２３】
スクロール７２は、クロスフローファン２１によって吹き上げられた空気を吹き出し口２５まで誘導する。
水平フラップ７３は、略直方体形状の室内機２の下面側に配置されており、室内機２の長手方向に平行な軸を中心に回動自在に設けられている。この水平フラップ７３は、フラップモータ（図示せず）によって回転駆動されることにより、空気調和された空気の上下方向における吹き出し角度を調整する。
【００２４】
本実施形態の室内機２では、水平フラップ７３が室内機２の外郭面７５よりも距離ｘだけ奥まって配置されており、ここでは距離ｘは１ｍｍとなっている。
この外郭面７５は、上部ケーシング６および下部ケーシング７によって形成される室内機２の外郭を構成する仮想の面をいう。
［本実施形態の空調室内機の特徴］
（１）
本実施形態の室内機２では、室内機２の表面に露出した水平フラップ７３が外郭面７５よりも約１ｍｍ程度奥まった状態で室内機２に取り付けられている。
【００２５】
従来の室内機では、外郭面の一部となる水平フラップ７３は、室内機の意匠性の低下を防ぐために、外郭面に一致するように取り付けられている。しかし、この場合には、室内機の運搬時や取り付け時において、不意に室内機に衝撃が加えられると、外郭面と同一面上に露出している水平フラップにも衝撃が加えられる可能性が高い。水平フラップは、空気の吹き出し角度を調整する部材であることから、通常、非常に薄く成形されており、両端および中央部分の３点で室内機と接続されているだけである。このため、外部からの衝撃に対して傷、破損、変形等の問題が発生しやすい。
【００２６】
そこで、本実施形態の室内機２では、衝撃に弱い水平フラップ７３に対して外部からの衝撃が加えられる可能性を低減するために、水平フラップ７３を外郭面７５よりも少し奥まった位置に配置している。これにより、従来よりも水平フラップ７３に対して衝撃が加えられる確率を低減することができる。特に、水平フラップ７３の縁の部分では、室内機２のフレーム（上部ケーシング６、下部ケーシング７）との間で段差が形成されているため、従来は水平フラップ７３に加えられていた衝撃をフレーム部分のみで受けることができる。よって、簡易な構成により水平フラップ７３の傷、破損等の問題の発生を抑制することができる。さらに、水平フラップ７３の破損等の発生確率が低くなるため、従来よりも材料物性値の低い水平フラップ７３を用いることができる。これにより、水平フラップ７３の材料単価を低減して、コストダウンが図れる。
【００２７】
（２）
本実施形態の室内機２は、図１および図３に示すように、略直方体形状を有している。
このような直方体形状では、どの面を下にしても安定して床等に置くことができる。このため、室内機２の運搬時や取り付け時においては、すべての面が下になって床等に置かれる可能性がある。しかし、製品の取り付け向きを考慮すると、室内機２の下面側あるいは背面側を下にして床等に置かれる頻度が最も高いと考えられる。よって、従来の外郭面上に水平フラップが配置された室内機が略直方体形状である場合に、水平フラップが取り付けられた下面側を下にして床等に置かれる可能性が高いため、水平フラップに衝撃が加えられて傷、破損等が発生しやすい。
【００２８】
しかし、本実施形態の室内機２では、水平フラップ７３が外郭面７５よりも少し奥まった位置に取り付けられているため、水平フラップ７３に衝撃が加わりやすい略直方体形状であっても、効果的に水平フラップ７３の傷、破損等の問題を解決できる。よって、水平フラップ７３の破損等を防止しつつ、略直方体形状のフレームに各構成が格納された薄型の室内機を提供できる。
【００２９】
（３）
本実施形態の室内機２は、水平フラップ７３が外郭面７５から１ｍｍ程度奥まった位置に取り付けられている。
上述した水平フラップ７３の傷、破損等をより効果的に防止するためには、水平フラップ７３を室内機２の外郭面７５よりもさらに奥まった位置に設ければよい。これにより、外部からの衝撃がより加えられにくくできる。しかし、この場合、水平フラップ７３がｈ室内機２の表面に露出しているため、あまり外郭面７５よりも奥まった位置に水平フラップ７３を配置すると室内機２の意匠性が低下してしまうことが考えられる。
【００３０】
本実施形態では、水平フラップ７３の傷、破損等の防止と室内機２の意匠性低下との双方のバランスを考慮して、水平フラップ７３の奥まりを外郭面７５から１ｍｍ程度としている。これにより、水平フラップ７３の傷、破損等の発生を抑制しつつ、室内機２の意匠性の低下を防止できる。
（４）
本実施形態の室内機２では、水平フラップ７３が水平方向を向くように室内機２に取り付けられている。
【００３１】
上述したように、本実施形態の室内機２は略直方体形状であって、水平フラップ７３はその略直方体形状の下面側に取り付けられている。このため、水平フラップ７３を水平方向を向くように室内機２へ取り付けることで、外郭面７５から水平フラップ７３の一部が突出して室内機２の意匠性を低下させることを防止できる。
［他の実施形態］
以上、本発明の一実施形態について説明したが、本発明は上記実施形態に限定されるものではなく、発明の要旨を逸脱しない範囲で種々の変更が可能である。
【００３２】
（Ａ）
上記実施形態では、室内機２が略直方体形状である例を挙げて説明した。しかし、本発明はこれに限定されるものではない。例えば、室内機２が従来の丸みを帯びた形状であってもよい。従来の形状の室内機に本発明を適用した場合でも、水平フラップ７３を外郭面７５から少し奥まった位置に配置することで、上記実施形態と同様に水平フラップ７３の破損等を効果的に低減できる。
【００３３】
（Ｂ）
上記実施形態では、水平フラップ７３が室内機２の下面側に取り付けられている例を挙げて説明した。しかし、本発明はこれに限定されるものではない。例えば、下面側以外の面に取り付けられている場合でも、外郭面７５よりも少し奥まった位置に取り付けられている場合には、上記と同様の効果を得ることができる。
【００３４】
（Ｃ）
上記実施形態では、水平フラップ７３が外郭面７５から１ｍｍ奥まらせて配置されている例を挙げて説明した。しかし、本発明はこれに限定されるものではない。例えば、３ｍｍよりも奥まった位置に水平フラップ７３を配置すると室内機２の意匠性が低下してしまうことから、外郭面７５から３ｍｍ以下の範囲で奥まった位置に水平フラップ７３が配置されていてもよい。１〜３ｍｍの範囲で奥まった位置に水平フラップ７３を配置することで、さらに水平フラップ７３の傷、破損等の発生確率を確実に低減できる。また、この場合には意匠性を損なわないようにデザイン処理を施しても良い。
【００３５】
（Ｄ）
上記実施形態では、風向調整板が水平フラップである例を挙げて説明したが、本発明はこれに限定されるものではない。例えば、表面に露出するように取り付けられた垂直フラップであっても同様に適用可能である。
（Ｅ）
上記実施形態では、空気調和装置の室内機に本発明を適用した例を挙げて説明した。しかし、本発明はこれに限定されるものではなく、空気清浄装置等のような風向調整板を備えた他の機器にも適用可能である。
【産業上の利用可能性】
【００３６】
本発明は、空気調和された空気を室内へ供給する際に、上下方向の風向き調整を行う風向調整板を備えた空調室内機等に適用可能である。
【図面の簡単な説明】
【００３７】
【図１】本実施形態の空調室内機を備えた空気調和装置を示す斜視図。
【図２】図１の空気調和装置における冷媒回路を示す概略図。
【図３】図１の空調室内機の内部の構成を示す断面図。
【図４】図３の空調室内機の冷房運転中における状態を示す断面図。
【図５】従来の空調室内機の内部の構成を示す断面図。
【符号の説明】
【００３８】
１      空気調和装置
２      室内機（空調室内機）
３      室外機
５      熱交換器ユニット
６      上部ケーシング
７      下部ケーシング
８      前面パネル
８ａ    上部パネル
８ｂ    下部パネル
８ｃ    カバー
２０      室内熱交換器
２１      クロスフローファン
２２      ファンモータ
２３ａ    吸い込み口
２３ｂ    吸い込み口
２４ａ    ドレンパン
２４ｂ    ドレンパン
２５      吹き出し口
３０      室外熱交換器
３１      アキュムレータ
３２      圧縮機
３３      四路切換弁
３４      電動膨張弁
７１      外面部
７３      水平フラップ（風向調整板）
７５      外郭面
【図１】
2005106394.tif 000003
【図２】
2005106394.tif 000004
【図３】
2005106394.tif 000005
【図４】
2005106394.tif 000006
【図５】
2005106394.tif 000007